(57)【特許請求の範囲】
【請求項１】
一の面側にカートリッジ装着部が設けられたシャーシと、
ディスクカートリッジを保持し、上記ディスクカートリッジを上記カートリッジ装着部に装着する位置と上記カートリッジ装着部から離間させた位置との間に亘って回動可能に上記シャーシに支持されたカートリッジホルダと、
上記シャーシの一の面側に設けられ、上記カートリッジホルダに挿入されるディスクカートリッジによって回動操作されるとともに、上記カートリッジホルダに保持されたディスクカートリッジを上記カートリッジホルダから排出する第１の方向と上記第１の方向と直交し上記シャーシの一の面に当接する方向である第２の方向に付勢部材により付勢されて上記シャーシに回動可能に支持されたイジェクトレバーと、
上記イジェクトレバーに突設され、上記イジェクトレバーが上記カートリッジホルダに挿入されるディスクカートリッジにより上記付勢部材の上記第１の方向への付勢力に抗して回動されるとき、上記付勢部材による上記第２の方向への付勢力によって上記シャーシと係合し、上記イジェクトレバーを上記ディスクカートリッジにより回動された位置に係止するイジェクトレバー係止機構と、
上記カートリッジホルダと一体に回動可能とされ、先端側が上記シャーシに向かって突設され、上記カートリッジホルダが上記カートリッジ装着部側に近接した位置に回動されるとき、上記先端側が上記シャーシに設けた切り欠き穴に進入して上記シャーシの他の面側に突出し、上記カートリッジホルダが上記カートリッジ装着部から離間する方向に回動されるとき、上記先端側で上記付勢部材による上記第２の方向への付勢力に抗して上記イジェクトレバーを押圧し、上記イジェクトレバー係止機構による上記イジェクトレバーの係止を解除する係止解除機構と
を備えることを特徴とするディスク記録及び／又は再生装置。
【請求項２】
上記係止解除機構は、上記先端側が上記カートリッジホルダが上記カートリッジ装着部側に向かって回動されるとき、上記先端側が上記切り欠き穴に進入するとともに、上記イジェクトレバーに押圧されて撓まされて上記イジェクトレバーに係合することを特徴とする請求項１記載のディスク記録及び／又は再生装置。
【請求項３】
上記係止解除機構は、上記カートリッジホルダの回動方向と直交する方向に弾性変位可能とされていることを特徴とする請求項２記載のディスク記録及び／又は再生装置。
【請求項４】
上記シャーシには、上記カートリッジ装着部に装着されたディスクカートリッジのディスクに対し記録及び／又は再生を行う記録及び／又は再生部が設けられ、
上記切り欠き穴は、上記シャーシ内の上記カートリッジホルダを上記シャーシに対し回動可能に支持する支軸側に近接した位置であって、上記記録及び／又は再生部が配設される領域外に設けられていることを特徴とする請求項１記載のディスク記録及び／又は再生装置。
【発明の詳細な説明】
【０００１】
【発明の属する技術分野】
本発明は、ディスクカートリッジを記録媒体に用いる記録及び／又は再生装置に関し、装置本体に可動可能に支持されたカートリッジホルダを介して、ディスクカートリッジを装置本体に設けた装着部に装着させるようにした記録及び／又は再生装置に関する。
【０００２】
【従来の技術】
従来、情報信号が記録され、あるいは記録された光ディスク等のディスクを収納したディスクカートリッジを記録媒体に用いるディスク記録再生装置において、ディスクカートリッジが挿入保持されるカートリッジホルダを用いてディスクカートリッジを装置本体に設けた装着部に装着させるようにしたものが用いられている。
【０００３】
この種のディスク記録再生装置には、ディスクカートリッジを保持したカートリッジホルダが装置本体に設けた記録再生部に近接した位置から離間する方向に移動するとき、カートリッジホルダに保持されたディスクカートリッジをカートリッジホルダから突出させる方向に移動するイジェクト機構が設けられている。
【０００４】
この種のイジェクト機構を備えたディスク記録再生装置としてとして、図１３に示すように構成されたものが知られている。
【０００５】
図１３に示すディスク記録再生装置は、装置本体を構成するシャーシ１０１を備え、このシャーシ１０１にディスクカートリッジ１０２に収納された例えば光ディスクに対し情報信号の記録再生を行う記録再生部を配設している。この記録再生部は、シャーシ１０１上に構成されたカートリッジ装着部に装着されたディスクカートリッジ１０２に収納された光ディスクを回転操作するディスク回転操作機構、ディスク回転操作機構によって回転操作される光ディスクに光ビームを照射してこの光ディスクに情報信号の記録及び／又は再生を行う光ピックアップ装置及び光ディスクに外部磁界を印可し光ピックアップ装置と共同して光ディスクに情報信号の記録を行う磁気ヘッド装置を主たる構成部材として構成されている。
【０００６】
記録再生部が配設されたシャーシ１０１には、シャーシ１０１上に構成されたカートリッジ装着部にディスクカートリッジ１０２を装着させるカートリッジホルダ１０３が取り付けられている。このカートリッジホルダ１０３は、基端部側シャーシ１０１に設けた支軸１０４に支持され、この支軸１０４を中心にして、記録再生部側に近接した位置と記録再生部から離間した位置との間に亘って、図１３中矢印Ａ1方向及び矢印Ａ2方向に回動する。カートリッジホルダ１０３は、支軸１０４を中心に図１３中矢印Ａ1方向に回動され、記録再生部から離間した位置に回動されたとき、前端側に設けたカートリッジ挿脱口が装置本体の外方に臨まされ、このカートリッジ挿脱口を介してディスクカートリッジ１０２の挿脱が行われる。また、カートリッジホルダ１０３は、支軸１０４を中心に図１３中矢印Ａ2に回動され、記録再生部に近接した位置に回動されると、このカートリッジホルダ１０３に挿入保持されたディスクカートリッジ１０２をカートリッジ装着部に装着させ、ディスクカートリッジ１０２に収納した光ディスクをディスク回転操作機構のディスクテーブルに装着させる。
【０００７】
カートリッジ装着部にディスクカートリッジ１０２が装着され、このディスクカートリッジ１０２に収納された光ディスクがディスクテーブルに装着された状態でディスク回転操作機構を駆動し、ディスクテーブルと一体に光ディスクを回転し、光ピックアップ及び磁気ヘッド装置を光ディスクの径方向に移動操作しながら光ビームを光ディスクに照射することによって光ディスクに記録された情報信号の再生が行われ、光ビームの照射とともに磁気ヘッド装置から記録すべき情報信号に応じて変調された外部磁界を印可することによって情報信号の記録が行われる。
【０００８】
そして、カートリッジホルダ１０３には、このカートリッジホルダ１０３を記録再生部から離間する方向に回動するとき、カートリッジホルダ１０３に保持されているディスクカートリッジ１０２をカートリッジ挿脱口から突出させる方向のイジェクト方向に移動させるイジェクトレバー１０５が取り付けられている。このイジェクトレバー１０５は、カートリッジホルダ１０３の一側面に、カートリッジホルダ１０３に対するディスクカートリッジ１０２の挿脱方向と平行な図１３中矢印Ｂ1方向及び矢印Ｂ2方向に移動可能に取り付けられている。すなわち、イジェクトレバー１０５は、カートリッジホルダ１０３の一側面に植立された一対の支軸１０６，１０６に長手方向を長径とした長孔１０７，１０７を挿通し、これら長孔１０７，１０７の範囲で図１３中矢印Ｂ1方向及び矢印Ｂ2方向に移動可能に取り付けられている。
【０００９】
そして、イジェクトレバー１０５のカートリッジホルダ１０３の内方側に位置する一端部には、カートリッジホルダ１０３に挿入されるディスクカートリッジ１０２の挿入端によって押圧操作され、ディスクカートリッジ１０２をカートリッジホルダ１０３からイジェクトする際にディスクカートリッジ１０２の挿入端を押圧操作する押圧操作片１０８が設けられている。
【００１０】
イジェクトレバー１０５は、このイジェクトレバー１０５に設けられたバネ係止片１０９とカートリッジホルダ１０３の一側面に設けられたバネ係止片１１０との間に張設された引っ張りバネ１１１により図１３中矢印Ｂ2方向に付勢されている。すなわち、イジェクトレバー１０５は、カートリッジホルダ１０３に保持されたディスクカートリッジ１０２をカートリッジホルダ１０３から突出させるイジェクト方向に付勢されている。そして、イジェクトレバー１０５は、カートリッジホルダ１０３に挿入されるディスクカートリッジ１０２の挿入端によって押圧操作片１０８が押圧操作されることにより引っ張りバネ１１の付勢力に抗して図１３中矢印Ｂ2方向に移動される。ディスクカートリッジ１０２がカートリッジホルダ１０３の所定の挿入保持位置まで挿入されると、イジェクトレバー１０５は、図１３中一点鎖線で示す位置まで移動され、基端部側に設けた係合部１１２がカートリッジホルダ１０３の一側面に取り付けたロック板１１３の先端側に設けた係合爪１１４に相対係合し、カートリッジ挿入保持位置にロックされる。
【００１１】
イジェクトレバー１０５をカートリッジ挿入位置にロックするロック板１１３は、カートリッジホルダ１０３の一側面に植立した支軸１１５に基端部側を支持され、この支軸１１５を中心に図１３中矢印Ｃ1方向及びＣ2方向に回動可能に取り付けられている。ロック板１１３は、基端部側に形成されたバネ係止片１１６とカートリッジホルダ１０３に形成されたバネ係止片１１７との間に張設された引っ張りバネ１１８によって、先端側の係合爪１１４がイジェクトレバー１０５の係合部１１２に係合する方向に回動付勢されている。なお、ロック板１１３は、基端部に設けた当接部１１９をカートリッジホルダ１０３に設けた回動規制片１２０に当接させることによって、引っ張りバネ１１８により図１３中矢印Ｃ１方向の回動付勢位置が規制されている。
【００１２】
また、シャーシ１０１側には、カートリッジホルダ１０３が記録再生部に近接した位置から離間する方向の図１３中矢印Ａ1方向に回動される際、係合爪１１４と係合部１１２との相対係合を解除させる方向の図１３中矢印Ｃ2方向に引っ張りバネ１１８の付勢力に抗してロック板１１３を回動させるラチェットレバー１２１が取り付けられている。このラチェットレバー１２１は、中途部をシャーシ１０１に植立された支軸１２２に支持され、この支軸１２２を中心に図１３中矢印Ｄ1方向及びＤ2方向に回動可能に取り付けられている。ラチェットレバー１２１は、基端側に設けたバネ係止片１２３とシャーシ１０１に設けたバネ係止片１２４との間に張設された引っ張りバネ１２５により図１３中矢印Ｄ1方向に回動付勢されている。ラチェットレバー１２１は、先端側の一側に突設した当接片１２６をシャーシ１０１に設けた回動規制片１２７に当接させることにより、引っ張りバネ１２５による回動付勢位置が規制される。そして、ラチェットレバー１２１の先端側には、カートリッジホルダ１０３が記録再生部に近接した位置から離間する方向の図１３中矢印Ａ1方向に回動される際、ロック板１１３の中途部に設けた係合片１２８に係合してロック板１１３を引っ張りバネ１１８の付勢力に抗して図１３中矢印Ｄ2方向に回動させ、係合爪１１４と係合部１１２との相対係合を解除させるロック解除片１２９が突設されている。
【００１３】
ラチェットレバー１２１は、カートリッジホルダ１０３が記録再生部から離間した位置に回動された状態から記録再生部側に向かって図１３中矢印Ａ2方向に回動されるとき、ロック板１１３に設けた係合片１２８によってロック解除片１２９が押圧されることにより、引っ張りバネ１２５の付勢力に抗して図１３中矢印Ｄ2方向に回動される。そして、カートリッジホルダ１０３が記録再生部に近接した位置まで回動されると、図１３に示すように、ロック板１１３に設けた係合片１２８はロック解除片１２９の下側に位置して相対係合し、カートリッジホルダ１０３が記録再生部に近接した位置から離間する方向の図１３中矢印Ａ1方向に回動される際、ロック板１１３を引っ張りバネ１１８の付勢力に抗して図１３中矢印Ｃ2方向に回動させる。したがって、ラチェットレバー１２１を付勢する引っ張りバネ１２５には、ロック板１１３を付勢する引っ張りバネ１１８に比し大きな付勢力を有するものが用いられる。
【００１４】
上述のように構成されたディスク記録再生装置にディスクカートリッジ１０２を装着するには、カートリッジホルダ１０３を記録再生部から離間させた位置に回動させ、カートリッジ挿脱口を装置本体の外方に臨まさた状態となす。この状態でディスクカートリッジ１０２をカートリッジホルダ１０３に挿入していくと、イジェクトレバー１０５は、ディスクカートリッジ１０２の挿入端によって押圧操作片１０８が押圧操作されることにより引っ張りバネ１１の付勢力に抗して図１３中矢印Ｂ2方向に移動される。そして、ディスクカートリッジ１０２がカートリッジホルダ１０３の所定の挿入保持位置まで挿入されると、イジェクトレバー１０５は、図１３中一点鎖線で示す位置まで移動され、係合部１１２がロック板１１３に設けた係合爪１１４に相対係合してカートリッジ挿入保持位置にロックされる。
【００１５】
ディスクカートリッジ１０２を所定の挿入保持位置まで挿入させた状態でカートリッジホルダ１０３を記録再生部に近接する図１３中矢印Ａ2方向に回動していくと、ロック解除片１２９がロック板１１３の係合片１２８によって押圧され、ラチェットレバー１２１が引っ張りバネ１２５の付勢力に抗して図１３中矢印Ｄ2方向に回動される。そして、カートリッジホルダ１０３が記録再生部に近接した位置まで回動されると、図１３に示すように、ロック板１１３に設けた係合片１２８はロック解除片１２９の下側に位置する状態となる。このとき、カートリッジホルダ１０３に保持されたディスクカートリッジ１０２は、シャーシ１０１上に構成されたカートリッジ装着部に装着され、このディスクカートリッジ１０２に収納された光ディスクに対し情報信号を記録若しくは再生可能な状態となす。
【００１６】
そして、ディスクカートリッジ１０２に収納された光ディスクに対する情報信号の記録若しくは再生を行った後、ディスクカートリッジ１０２をイジェクトするようにカートリッジホルダ１０３を図１３中矢印Ａ1方向に回動すると、ロック板１１３に設けた係合片１２８とロック板１１３のラチェットレバー１２１のロック解除片１２９とが相対係合する。この状態からさらにカートリッジホルダ１０３を図１３中矢印Ａ1方向に回動すると、ロック板１１３がカートリッジホルダ１０３に対し相対的に矢印Ｃ2方向に回動され、イジェクトレバー１０５の係合部１１２と係合つめ１１４との相対係合が解除され、イジェクトレバー１０５が引っ張りバネ１０１の付勢力を受けて図１３中矢印Ｂ2方向に移動される。イジェクトレバー１０５の図１３中矢印Ｂ2方向への移動により、カートリッジホルダ１０３に保持されたディスクカートリッジ１０２がイジェクトレバー１０５の押圧操作片１０８を介して押圧操作され、カートリッジホルダ１０３から排出される方向に移動される。そして、カートリッジホルダ１０３から突出された一部を把持することによりディスクカートリッジ１０２の取り出しが行われる。
【００１７】
【発明が解決しようとする課題】
ところで、上述したディスク記録再生装置は、カートリッジホルダ１０３に保持されたディスクカートリッジ１０２をイジェクトするための機構として、ディスクカートリッジ１０２をカートリッジホルダ１０３から排出操作するイジェクトレバー１０５の移動をそれぞれ引っ張りバネ１１８，１２５により付勢されたロック板１１３及びラチェットレバー１２１により整序するようにしているため、機構が複雑であるばかりか、部品点数が多く組み立てが困難であるという問題点がある。
【００１８】
そして、ディスクカートリッジ１０２をイジェクトするための機構が複雑であり、部品点数が多いため、装置自体を小型化することを阻害してしまっている。
【００１９】
そこで、本発明は、装置本体に装着されたディスクカートリッジをイジェクトする機構の簡素化を図るとともに、部品点数の削減を図り、装置自体の小型化を実現し得るディスク記録及び／又は再生装置を提供することを目的に提案あれたものである。
【００２０】
【課題を解決するための手段】
上述した目的を達成するため、本発明に係るディスク記録及び／又は再生装置は、一の面側にカートリッジ装着部が設けられたシャーシと、ディスクカートリッジを保持し、上記ディスクカートリッジを上記カートリッジ装着部に装着する位置と上記カートリッジ装着部から離間させた位置との間に亘って回動可能に上記シャーシに支持されたカートリッジホルダと、上記シャーシの一の面側に設けられ、上記カートリッジホルダに挿入されるディスクカートリッジによって回動操作されるとともに、上記カートリッジホルダに保持されたディスクカートリッジを上記カートリッジホルダから排出する第１の方向と上記第１の方向と直交し上記シャーシの一の面に当接する方向である第２の方向に付勢部材により付勢されて上記シャーシに回動可能に支持されたイジェクトレバーと、上記イジェクトレバーに突設され、上記イジェクトレバーが上記カートリッジホルダに挿入されるディスクカートリッジにより上記付勢部材の上記第１の方向への付勢力に抗して回動されるとき、上記付勢部材による上記第２の方向への付勢力によって上記シャーシと係合し、上記イジェクトレバーを上記ディスクカートリッジにより回動された位置に係止するイジェクトレバー係止機構と、上記カートリッジホルダと一体に回動可能とされ、先端側が上記シャーシに向かって突設され、上記カートリッジホルダが上記カートリッジ装着部側に近接した位置に回動されるとき、上記先端側が上記シャーシに設けた切り欠き穴に進入して上記シャーシの他の面側に突出し、上記カートリッジホルダが上記カートリッジ装着部から離間する方向に回動されるとき、上記先端側で上記付勢部材による上記第２の方向への付勢力に抗して上記イジェクトレバーを押圧し、上記イジェクトレバー係止機構による上記イジェクトレバーの係止を解除する係止解除機構とを備える。
【００２１】
このディスク記録及び／又は再生装置において、上記係止解除機構は、上記カートリッジホルダが上記カートリッジ装着部側に向かって回動されるとき、上記先端側が上記切り欠き穴に進入するとともに、上記イジェクトレバーに押圧されて撓まされて上記イジェクトレバーに係合する。
【００２２】
ここで、上記係止解除機構は、上記カートリッジホルダの回動方向と直交する方向に弾性変位可能とされることが望ましい。
【００２３】
さらに、本発明に係るディスク記録及び／又は再生装置は、上記シャーシに、上記カートリッジ装着部に装着されたディスクカートリッジのディスクに対し記録及び／又は再生を行う記録及び／又は再生部が設けられ、上記切り欠き穴は、上記シャーシ内の上記カートリッジホルダを上記シャーシに対し回動可能に支持する支軸側に近接した位置であって、上記記録及び／又は再生部が配設される領域外に設けられている。
【００２７】
【発明の実施の形態】
以下、本発明を光ディスクを収納したディスクカートリッジを記録媒体に用いるディスク再生装置に適用した例を挙げて説明する。
【００２８】
このディスク再生装置は、図１に示すように、装置本体を構成するシャーシ１を備えている。このシャーシ１は、金属板を打ち抜き折り曲げて矩形状に形成され、上面側にディスクカートリッジ２が装着されるカートリッジ装着部３が構成されている。カートリッジ装着部３には、このカートリッジ装着部３に装着されるディスクカートリッジ２の水平方向及び高さ方向の装着位置を位置決めする複数の位置決めピン４が設けられている。これら位置決めピン４は、シャーシ１に植立するようにして取り付けられている。
【００２９】
また、シャーシ１には、ディスク再生部を構成するディスク回転操作機構５及び光ピックアップ装置６が取り付けられている。ディスク回転操作機構５は、図１に示すように、シャーシ１の中央部に位置して配設されている。このディスク回転操作機構５は、シャーシ１の下面側に取り付けられる図示しないスピンドルモータと、このスピンドルモータの駆動軸７に取り付けられ、シャーシ１の上面側に臨まされたディスクテーブル８とを備える。このディスクテーブル８には、マグネットが取り付けられ、カートリッジ装着部３に装着されるディスクカートリッジ２に収納された光ディスク１０のハブを磁気吸引し、光ディスク１０を一体に回転するようにクランプする。
【００３０】
光ピックアップ装置６は、光ビームを出射する半導体レーザの如き光源及びビームスプリッタ等の光学部品を内蔵させた光学ブロック１１と、光源から出射される光ビームをディスクテーブル８にクランプされた光ディスク１０に集光させる対物レンズ１２を備えた２軸アクチュエータとを備える。この光ピックアップ装置６は、シャーシ１の一部を切り欠いて形成したピックアップ用開口部１３に対物レンズ１２を臨ませ、シャーシ１の下面側に設けた互いに平行な一対のガイド軸１４，１５に支持されて取り付けられている。そして、光ピックアップ装置６は、シャーシ１の下面側に配設されたピックアップ送り機構により、一対のガイド軸１４，１５にガイドされてディスクテーブル８にクランプされた光ディスク１０の径方向に移動操作される。このピックアップ送り機構は、図示しない駆動モータと、この駆動モータによって回転操作される送りネジ１６とを備える。そして、光ピックアック装置６は、光学ブロック１１に取り付けた係合ピン１７を送りネジ１６に係合させることにより、送りネジ１６が駆動モータにより回転操作されることにより、ディスクテーブル８にクランプされた光ディスク１０の径方向に移動操作される。
【００３１】
ディスク回転操作機構及び光ピックアップ装置６が取り付けられたシャーシ１には、シャーシ１上に構成されたカートリッジ装着部３にディスクカートリッジ２を装着させるカートリッジホルダ２１が取り付けられている。このカートリッジホルダ２１は、相対向する両側に、カートリッジホルダ２１に挿入されるディスクカートリッジ２の両側を支持する断面Ｌ字状をなす一対のカートリッジ支持部２２，２３が設けられ、これらカートリッジ支持部２２，２３間にディスクカートリッジ２が挿入保持される。カートリッジホルダ２１へのディスクカートリッジ２の挿脱は、カートリッジ支持部２２，２３間に構成されたカートリッジ挿脱口２４を介して行われる。
【００３２】
カートリッジホルダ２１の一方のカートリッジ支持部２２には、このカートリッジホルダ２１にディスクカートリッジ２が挿入される際、ディスクカートリッジ２に設けたシャッタ部材２ａをディスクカートリッジ２に対し相対移動させ、ディスクカートリッジ２に設けた記録再生用開口部２ｂを開放操作するシャッタ開放操作部材２５が設けられている。
【００３３】
そして、カートリッジホルダ２１は、カートリッジ挿脱口２４が設けられた前面側と対向する基端部側の両側に突設した挿通孔２６，２６を、シャーシ１の背面側の両側に取り付けた支持片２７，２７に設けた支軸２８，２８に挿通し、これら支軸２８，２８を中心にして、ディスク再生部を構成するディスク回転操作機構５が設けられたカートリッジ装着部３側に近接した位置とディスク装着部３から離間した位置との間に亘って、図１中矢印Ｙ1方向及び矢印Ｙ2方向に回動可能に支持される。カートリッジホルダ２１は、支軸２８，２８を中心に図１中矢印Ｙ1方向に回動され、ディスク装着部３から離間した位置に回動されたとき、前端側に設けたカートリッジ挿脱口２４が装置本体の外方に臨まされ、このカートリッジ挿脱口２４を介してディスクカートリッジ２の挿脱が行われる。また、カートリッジホルダ２１は、支軸２８，２８を中心に図１中矢印Ｙ2に回動され、ディスク装着部３に近接した位置に回動されると、このカートリッジホルダ２１に挿入保持されたディスクカートリッジ２をカートリッジ装着部３に装着させ、ディスクカートリッジ２に収納した光ディスク１０がディスク回転操作機構５のディスクテーブル８にクランプされる。
【００３４】
カートリッジ装着部３にディスクカートリッジ２が装着され、このディスクカートリッジ２に収納された光ディスク１０がディスクテーブル８にクランプされた状態でディスク回転操作機構８を駆動し、ディスクテーブル８と一体に光ディスク１０を回転し、光ピックアップ装置６を光ディスク１０の径方向に移動操作しながら光ビームを光ディスク１０に照射することによって光ディスク１０に記録された情報信号の再生が行われる。
【００３５】
なお、このディスク再生装置には、カートリッジホルダ２１を覆うようして蓋体が取り付けられる。この蓋体は、カートリッジホルダ２１と同期して回動され、カートリッジホルダ２１がカートリッジ装着部３側に回動されたとき、装置本体にロックされ、カートリッジホルダ２１をカートリッジ装着部３に近接した位置に保持する。また、蓋体は、装置本体へのロックが解除されると、捻りコイルバネ等の付勢部材の付勢力を受けてカートリッジ装着部３を開放する方向に回動される。このとき、カートリッジホルダ２１も蓋体と同期してカートリッジ装着部３から離間する図１中矢印Ｙ1方向に回動される。
【００３６】
一方、シャーシ１のカートリッジ装着部３が構成された上面側には、カートリッジホルダ２１に保持されたディスクカートリッジ２をカートリッジホルダ２から排出する図１中矢印Ｘ1方向に押圧するイジェクトレバー３１が取り付けられている。このイジェクトレバー３１は、図１及び図２に示すように、シャーシ１に回動可能に取り付けられたカートリッジホルダ２１に挿入されるディスクカートリッジ２の挿入端によって押圧操作されるように、カートリッジホルダ２１が支持されるシャーシ１の背面側に位置して取り付けられている。
【００３７】
このイジェクトレバー３１は、図２に示すように、カートリッジホルダ２１に挿入されるディスクカートリッジ２の挿入端によって押圧操作され、またカートリッジホルダ２１に保持されたディスクカートリッジ２の挿入端を押圧するカートリッジ押圧片３２とシャーシ１への支持片３３とを備える。そして、カートリッジ押圧片３２は、長尺な板状に形成され、カートリッジ装着部３から離間した位置に回動され、シャーシ１に対し傾斜した状態にあるカートリッジホルダ２１に挿入されるディスクカートリッジ２によって確実に押圧されるように、先端部に幅広なカートリッジ押圧部３４が設けられている。一方、支持片３３は、カートリッジ押圧部３２の基端部側の一側からカートリッジ押圧部３２の幅方向と直交する方向に折曲するように突設されている。この支持片３３には、シャーシ１の下面側に突設された支軸３５に挿通支持され長孔３６が穿設されている。
【００３８】
そして、イジェクトレバー３１は、図２に示すように、シャーシ１の背面側の一部を切り欠いて形成した差込孔３７を介して支持片３３をシャーシ１の下面側に差し込んでシャーシ１のカートリッジ装着部３が構成された上面側に配設される。このとき、支持片３３に穿設した長孔３６をシャーシ１に突設した支軸３５に挿通させることにより、イジェクトレバー３１は、支軸３５を中心に図２、図３及び図４中矢印Ｄ1方向及び矢印Ｄ2方向に回動可能に支持される。すなわち、イジェクトレバー３１は、カートリッジホルダ２１に挿入されるディスクカートリッジ２によって押圧されて回動される図２、図３及び図４中矢印Ｄ1方向及びディスクカートリッジ２に保持されたディスクカートリッジ２をカートリッジホルダ２から排出する方向の図２、図３及び図４中矢印Ｄ2方向の第１の回動方向に回動可能に支持される。
【００３９】
また、支軸３５に長孔３６を挿通させて支持された支持片３３と支軸３５の先端部に嵌合された抜け止め部材としてのＥリング３８との間に、図５に示すように、半球状をなす一対の皿形のワッシャ３９，４０が膨出部側を突き合わせて介在されることにより、イジェクトレバー３１は、第１の回動方向と直交するシャーシ１に対し近接離間する方向の図５中矢印Ｅ1方向及び矢印Ｅ2方向の第２の回動方向に回動可能に支持される。
【００４０】
さらに、イジェクトレバー３１は、長孔３６を介して支軸３５に支持されてなるので、長孔３６の範囲で支軸３５と直交する方向に移動可能に支持される。ところで、長孔３６は、カートリッジ押圧部３２の長手方向を長径として形成されているので、イジェクトレバー３１は、カートリッジ押圧部３２の長手方向である図２、図３及び図４中中矢印Ｆ1方向及び矢印Ｆ2方向に移動可能に支軸３５に支持される。
【００４１】
このように支軸３５を介してシャーシ１に支持されたイジェクトレバー３１は、シャーシ１の下面側に突設されたバネ係止片４１と支持片３３の一側に形成されたバネ係止片４２との間に付勢部材である引っ張りバネ４３が張設されている。この引っ張りバネ４３は、イジェクトレバー３１を、支軸３５を中心にして、図３及び図４中矢印Ｄ2方向のカートリッジホルダ２１に保持されたディスクカートリッジ２をカートリッジホルダ２１から排出する方向の図２、図３及び図４中矢印Ｘ1方向に押圧するように回動付勢するとともに、カートリッジホルダ２１の内方へ移動させる方向の図２、図３及び図４中矢印Ｆ1方向に付勢するように張設されている。さらに、引っ張りバネ４３は、図６に示すように、シャーシ１側のバネ係止片４１への係止位置をイジェクトレバー３１側のバネ係止片４２の係止位置より下方に位置するように傾斜して張設されることにより、イジェクトレバー３１を支軸３５を中心にして、シャーシ１側であるカートリッジ装着部３側に回動方向の図５中矢印Ｅ1方向に回動付勢している。
【００４２】
ところで、イジェクトレバー３１のカートリッジ押圧部３２の先端側のシャーシ１側に位置する一側には、イジェクトレバー３１が引っ張りバネ４３の付勢力に抗して図２、図３及び図４中矢印Ｄ1方向に回動され、シャーシ１の背面側まで回動されたとき、シャーシ１の背面側に形成された係合凹部４５に係合する係止片４６が垂下するように突設されている。この係止片４６は、イジェクトレバー３１がカートリッジホルダ２１に挿入されるディスクカートリッジ２によって押圧され、ディスクカートリッジ２がカートリッジホルダ２１に対する所定の保持位置まで引っ張りバネ４３の付勢力に抗して図２、図３及び図４中矢印Ｄ1方向に回動されたとき、このイジェクトレバー３１をシャーシ１に係止させ、カートリッジホルダ２１に保持されたディスクカートリッジ２のイジェクト操作を規制するものである。
【００４３】
なお、係止片４６は、シャーシ１上を摺接して回動するので、円滑な回動を保証するため、先端面は、円弧面として形成されている。
【００４４】
そして、カートリッジホルダ２１には、このカートリッジホルダ２１がディスクカートリッジ２をカートリッジ装着部３に装着させたディスク回転操作機構５側に近接した位置から離間する方向に図２中矢印Ｙ1方向に回動されるとき、イジェクトレバー３１を図５中矢印Ｅ2方向のシャーシ１から離間する方向に回動させ、係止片４６の係合凹部４５への係合を解除させる係止解除手段である係止解除片５１が設けられている。この係止解除片５１は、図２に示すように、カートリッジホルダ２１の他方のカートリッジ保持部２３のディスクカートリッジ２を支持する水平板２３ａの先端側に垂下するように一体に形成されている。係止解除片５１は、カートリッジホルダ２１がディスク回転操作機構５側に回動されたとき、図７に示すように、シャーシ１に形成した切り欠き穴５２を介してシャーシ１の下面側に進入し、イジェクトレバー３１の支持片３３の先端側に形成した被係合片５３に係合する係合爪５４が先端側に形成されている。この係合爪５４の外周面には、カートリッジホルダ２１がディスク回転操作機構５側に近接した位置側に回動され、係止解除片５１がシャーシ１に形成した切り欠き穴５２を介してシャーシ１の下面側に進入していくとき、被係合片５３の先端側に当接し、イジェクトレバー３１を引っ張りバネ４３の付勢力に抗して図２中Ｆ1方向に移動させるカム面５５が形成されている。
【００４５】
したがって、イジェクトレバー３１は、カートリッジホルダ２１がディスク回転操作機構５側に近接した位置側に回動されていくと、係合爪５４の外周面に形成されたカム面５５によって被係合片５３が押圧され、引っ張りバネ４３の付勢力に抗して図２中Ｆ1方向に移動される。そして、カートリッジホルダ２１がディスク回転操作機構５側に近接した位置側にさらに回動され、カム面５５の被係合片５３への当接状態が解除されると、イジェクトレバー３１は、引っ張りバネ４３の付勢力を受けて図２中Ｆ2方向に移動され、被係合片５３を係合爪５４に係合させた状態となす。そして、イジェクトレバー３１は、カートリッジホルダ２１がディスク回転操作機構５側に近接した位置側から離間する方向の図１中矢印Ｙ1方向に回動されると、図８に示すように、係合爪５４に係合された被係合片５３が係合爪５４とともに回動されることにより、シャーシ１から離間する方向の図５中矢印Ｅ2方向に回動される。イジェクトレバー３１が、シャーシ１から離間する方向に回動されると、係止片４６の係合凹部４５への係合が解除される。そして、イジェクトレバー３１は、引っ張りバネ４３の付勢力を受けて図２中矢印Ｄ2方向に回動され、カートリッジホルダ２１に保持されたディスクカートリッジ２をカートリッジホルダ２１から排出させる図３及び図４中矢印Ｘ1方向に押圧操作する。
【００４６】
イジェクトレバー３１を図５中矢印Ｅ2方向のシャーシ１から離間する方向に回動させ、係止片４６の係合凹部４５への係合を解除させる係止解除手段は、カートリッジホルダ２１と一体に形成されているが、カートリッジホルダ２１とともに回動されるものであれば、別体に形成したものであってもよい。
【００４７】
上述のように構成されたディスク再生装置にディスクカートリッジ２を装着し、この装着したディスクカートリッジ２をイジェクトする操作を説明する。
【００４８】
ディスクカートリッジ２をカートリッジ装着部３に装着させるには、カートリッジホルダ２１をカートリッジ装着部３から離間させた図２中矢印Ｙ1方向に回動させ、カートリッジ挿脱口２４を装置本体の外方に臨ませる。そして、カートリッジ挿脱口２４を介してディスクカートリッジ２をカートリッジホルダ２１内に挿入していく。ディスクカートリッジ２が、図９に示すように、カートリッジホルダ２１内の矢印Ｘ2方向に挿入されていくと、シャーシ１に取り付けたイジェクトレバー３１がディスクカートリッジ２の挿入端に押圧され、引っ張りバネ４３の付伊勢力に抗して図２，図３及び図４中矢印Ｄ1方向に回動される。そして、ディスクカートリッジ２がカートリッジホルダ２１内の所定挿入位置まで挿入されると、図１０に示すように、イジェクトレバー３１は、シャーシ１の背面側まで回動される。イジェクトレバー３１がシャーシ１の背面側まで回動されると、引っ張りバネ４３によりシャーシ１側に回動され、係止片４６を係合凹部４５に係合させ、引っ張りバネ」４３の付勢力を受けて図２，図３及び図４中矢印Ｄ2方向のカートリッジホルダ２１からディスクカートリッジ２を排出する方向への回動が規制された状態におかれる。
【００４９】
イジェクトレバー３１がシャーシ１に係止された状態からさらにカートリッジホルダ２１をカートリッジ装着部３側に近接する図１中矢印Ｙ2方向に回動していくと、カートリッジホルダ２１に設けた係止解除片５１がシャーシ１に形成した切り欠き穴５２を介してシャーシ１の下面側に進入していく。そして、係合爪５４の外周面に形成されたカム面５５によって被係合片５３が押圧され、イジェクトレバー３１は引っ張りバネ４３の付勢力に抗して図２中Ｆ1方向に移動される。このとき、イジェクトレバー３１は、引っ張りバネ４３によりシャーシ１側に回動付勢されているので、係止片４６を係合凹部４５に係合させた状態を維持して
図２中Ｆ1方向に移動される。カートリッジホルダ２１がディスク回転操作機構５側に近接した位置側にさらに回動され、カム面５５の被係合片５３への当接状態が解除されると、イジェクトレバー３１は、引っ張りバネ４３の付勢力を受けて図２中Ｆ2方向に移動され、被係合片５３を係合爪５４に係合させた状態となす。
【００５０】
そして、カートリッジホルダ２１がディスク回転操作機構５に近接したカートリッジ装着部３まで回動されると、このカートリッジホルダ２１に保持されたディスクカートリッジ２が位置決めピン４に支持されてカートリッジ装着部３に装着され、ディスクカートリッジ２に収納された光ディスク１０がディスク回転操作機構５のディスクテーブル８にクランプされる。
【００５１】
なお、ディスクカートリッジ２をカートリッジホルダ２１に挿入するとき、シャッタ部材２ａが移動操作され、記録再生用開口部が開放される。
【００５２】
このように、ディスクカートリッジ２をカートリッジ装着部３に装着し、光ディスク１０をディスクテーブル８にクランプさせたところで、ディスク回転駆動装置５を駆動して光ディスク１０を回転操作し、光ピックアップ装置６を駆動させることにより、光ディスク１０に記録された情報信号の再生が行われる。
【００５３】
光ディスク１０に記録された所望の情報信号の再生が完了した後、蓋体を開放操作すると、カートリッジホルダ２１が蓋体とともにカートリッジ装着部３側から離間する図１中矢印Ｙ1方向に回動可能な状態となる。
【００５４】
ここで、カートリッジホルダ２１をカートリッジ装着部３側から離間する図１中矢印Ｙ1方向に回動すると、図８に示すように、イジェクトレバー３１は、係合爪５４に係合された被係合片５３が係合爪５４とともに回動されることにより、シャーシ１から離間する方向の図５中矢印Ｅ2方向に回動される。イジェクトレバー３１が、シャーシ１から離間する方向に回動されると、係止片４６の係合凹部４５への係合が解除される。そして、イジェクトレバー３１は、引っ張りバネ４３の付勢力を受けて図２中矢印Ｄ2方向に回動され、カートリッジホルダ２１に保持されたディスクカートリッジ２をカートリッジホルダ２１から排出させる図３、図４及び図９中矢印Ｘ1方向に押圧し、ディスクカートリッジ２の一部をカートリッジホルダ２１から突出させる。カートリッジホルダ２１から突出された一部を把持してディスクカートリッジ２を引き出すことにより、ディスクカートリッジ２のイジェクト操作が完了する。
【００５５】
上述したディスク再生装置にあっては、イジェクトレバー３１は、長孔３６を介してシャーシ１に突設した支軸３５に支持させることにより、図２中矢印Ｆ1方向及びＦ2方向に移動することによって、被係合片５３をカートリッジホルダ２１に設けた係合爪５４と係合させるようしているが、イジェクトレバー３１は、支軸３５と直交する図２中矢印Ｆ1方向及びＦ2方向に可動可能とすることなく支持したものであってもよい。すなわち、イジェクトレバー３１は、支軸３５を中心に図２中矢印Ｄ1方向及び矢印Ｄ2方向の第１の回動方向に回動可能であって、この第１の回動方向と直交する図５中矢印Ｅ1方向及び矢印Ｅ2方向の第２の回動方向に回動可能に支持するだけでもよい。
【００５６】
この場合、イジェクトレバー３１は、図１１に示すように、支持片３３に支軸３５と略同径の軸挿通孔６１を穿設し、この軸挿通孔６１を支軸３５に挿通して支持される。そして、カートリッジホルダ２１がカートリッジ装着部３に近接する側に回動されて行くときに、被係合片５３がカートリッジホルダ２１に設けた係合爪５４に押圧されて撓み変形するように形成する。すなわち、被係合片５３を、図９に示すように、弾性変位部６２を介して支持片３３に連設する。このように、被係合片５３を弾性変位部６２を介して支持片３３に連接することにより、弾性変位片６２を撓み変形させることにより、イジェクトレバー３１を支軸３５と直交する方向に移動することなく、被係合片５３をカートリッジホルダ２１に設けた係合爪５４に係合させることが可能となる。
【００５７】
また、被係合片５３側を撓み変形させることなく、図１２に示すように、係合爪５４が設けられた係止解除片５１を撓み変形し得るように形成したものであってもよい。この場合にも、係合片５４が撓み変形することにより、イジェクトレバー３１を支軸３５と直交する方向に移動することなく、被係合片５３をカートリッジホルダ２１に設けた係合爪５４に係合させることが可能となる。
【００５８】
なお、被係合片５３又は係合爪５４側を撓み変形させて、被係合片５３と係合爪５４との係合を図るように構成した場合には、カートリッジホルダ２１をカートリッジ装着部３から離間する方向に回動されるとき、確実に係合爪５４が被係合片５３に係合してイジェクトレバー３１をシャーシ１から離間させる方向に回動させるため、係合爪５４の被係合部５３への係合角度を前述したものより大きくしておく。
【００５９】
上述の例は、本発明をディスク再生装置に適用した例を挙げて説明したが、光ピックアップ装置６と共同して情報信号の記録を行う磁気ヘッド装置を備えたディスク記録再生装置にもそのまま適用できるものである。
【００６０】
【発明の効果】
上述したように本発明に係るディスク記録及び／又は再生装置は、イジェクトレバーを互いに直交する２方向に回動可能に支持するとともに、このイジェクトレバーを付勢手段により付勢することにより、カートリッジホルダへのディスクカートリッジの挿入操作によりイジェクトレバーを付勢手段の付勢力に抗して回動操作し、装置本体に係止させ、さらにカートリッジホルダの回動操作によってイジェクトレバーの装置本体への係止を解除させることにより、付勢手段の付勢力を受けてカートリッジホルダに保持されたディスクカートリッジをイジェクトさせように構成されてなるので、ディスクカートリッジをイジェクト操作するイジェクト機構を簡素化することができ、装置自体の一層の小型化を実現することができる。
【図面の簡単な説明】
【図１】本発明が適用されたディスク再生装置を示す分解斜視図である。
【図２】上記ディスク再生装置の要部を示す斜視図である。
【図３】イジェクトレバーのシャーシへの取り付け状態を示す平面図である。
【図４】イジェクトレバーのシャーシへの取り付け状態を示す底面図である。
【図５】イジェクトレバーのシャーシへの取り付け状態を示す背面図である。
【図６】イジェクトレバーを付勢する引っ張りバネの取り付け状態を示す側面図である。
【図７】カートリッジホルダに設けた係止解除片がイジェクトレバーの被係合片に係合していく状態を示す要部側面図である。
【図８】イジェクトレバーの被係合片に係合したカートリッジホルダの係止解除片が被係合片を回動させ、イジェクトレバーをシャーシから離間する方向に回動される状態を示す要部側面図である。
【図９】カートリッジホルダにディスクカートリッジを挿入し、イジェクトレバーを回動させる状態を示す平面図である。
【図１０】カートリッジホルダに保持されたディスクカートリッジをカートリッジ装着部装着させた状態を示す平面図である。
【図１１】本発明を構成するイジェクトレバーの他の例を示す平面図である。
【図１２】本発明を構成するカートリッジホルダに設けられる係止解除片の他の例を示す側面図である。
【図１３】従来のディスク記録再生装置に設けられたイジェクト機構部分を示す側面図である。
【符号の説明】
１  シャーシ、  ２  ディスクカートリッジ、  ５  ディスク回転操作機構、６  光ピックアップ装置、  ２１  カートリッジホルダ、  ３１  イジェクトレバー、  ３５  イジェクトを支持する支軸、  ３６  イジェクトレバーに設けた長孔  、  ４３  引っ張りバネ、  ４５  係合凹部、  ４６  係合凹部係合する係止片、  ５１  カートリッジホルダに設けた係止解除片、  ５３  被係合片
【図１】
0003799704.tif 000002
【図２】
0003799704.tif 000003
【図３】
0003799704.tif 000004
【図４】
0003799704.tif 000005
【図５】
0003799704.tif 000006
【図６】
0003799704.tif 000007
【図７】
0003799704.tif 000008
【図８】
0003799704.tif 000009
【図９】
0003799704.tif 000010
【図１０】
0003799704.tif 000011
【図１１】
0003799704.tif 000012
【図１２】
0003799704.tif 000013
【図１３】
0003799704.tif 000014